(57)【要約】 【課題】  近年錠破りによる犯罪が増え、その中でバールを使って施錠した錠のデットボルトを押し込める錠破りも増えている。  従来の錠の押し込め強度を考えると、より強力に押し込めに堪える錠を作る必要がある。合わせて、施解錠操作に誤作動が発生せず、確実に施解錠できる錠を作る事が課題である。【解決手段】    デットボルトを出し入れするダルマにロッキングカムを追加して設け、ダルマの動きに合わせてロッキングカムがロッキングブロックをデットボルト後方に移動させ、ロッキングブロックがデットボルト後方と錠ケースハコの間に挟まれる事で強力にデットボルト押し込めに堪え、合わせて誤作動する心配の無い錠のデットボルト固定機構を実現した。【選択図】図１
2006028764.tif 000002
【特許請求の範囲】
【請求項１】
シリンダーやサムターンを組み付けるダルマ(５)に、デットボルト(２)を出し入れするデットカム(７)の他にロッキングカム(８)を設け、施錠時に突き出したデットボルト後部(１２)と錠ケースハコ(１)の間に、クサビ状に入ってデットボルトの引込みを防止するロッキングブロック(１０)を設け、合鍵やサムターンを回して施錠した時に、ダルマが回ってデットボルトを突き出すと同時に、ロッキングブロックがデットボルト後部に移動してデットボルトの引込みを強力に防止する事が特徴の錠のデットボルト固定機構。
【発明の詳細な説明】
【技術分野】
【０００１】
錠破りであるデットボルト押し込みに対する強度を大きくする技術である。
【背景技術】
【０００２】
従来のデットボルト固定機構の構造を図２で説明する。
図２は一般的なデットボルト固定機構である。
ダルマを回すとデットボルトが押し出され、ダルマを回し終えるとデットボルトが完全に突き出し、ロッキングバーが下がってデットボルトの押し込みを防止する。
【特許文献１】実開平３−０９２２７７
【発明の開示】
【発明が解決しようとする課題】
【０００３】
従来の機構の問題を説明する。
デットボルトの押し込み防止はロッキングバーとダルマのデットカムで協力して防止するが、近年の錠破りでは強大な破解力を加える粗暴なものが増え、より強力なデットボルト押し込み強度が必要と考える。
【０００４】
従来の機構の、作動性の問題を説明する。
解錠にあたり、ダルマを解錠側へ回すとダルマのデットカムにロッキングピンが押され、ロッキングピンにロッキングバーが押されて、デットボルトの固定を解除すると同時にデットカムがデットボルトを引込める。
【０００５】
もしロッキングバーの作動が渋くなったら、あるいはロッキングピンの作動が渋くなったら施錠時にロッキングバーが下りず、デットボルトの固定ができなくなる。
錠を使用する者は渋くなった事に気付く事はまず無い。
渋くなったまま施錠した場合は、デットボルトを軽く押し込むだけでデットボルトは引込んでしまう。
【０００６】
ロッキングバーを押し出すロッキングバーバネや、ロッキングピンを押し戻すロッキングピンバネの作動が渋くなっても同様の問題が発生し得る。
【０００７】
実開平３−９２２７７では本発明のロッキングブロックと同様の働きをする技術が存在する。
しかし、実開平３−９２２７７では施錠の為の操作が２タッチとなるのに対し、本発明では操作が１タッチで済むという大きな利点を有する。
【０００８】
防犯対策として、錠破りであるバール等を使ったデットボルト押し込みに対して強力に堪え、同時に誤作動が発生する事が無く、操作のし易い錠のデットボルト固定機構を実現することが課題である。
【課題を解決するための手段】
【０００９】
図１に基づいて発明のデットボルト固定機構を説明する。合鍵やサムターン操作によって施錠時に突き出したデットボルト(２)の後方にロッキングブロック(１０)を移動させ、デットボルト後部(１２)と錠ケースハコ(１)の間にロッキングブロックをクサビ状に差し込む事でデットボルトの押し込みを防止する。
【００１０】
ロッキングブロックは従来のロッキングバーと比べて形状的に大きい強度が有る。
そのロッキングブロックがデットボルトと錠ケースハコの間に挟まれる事で、錠ケースハコ自体がデットボルト押し込みを防止し、大きいデットボルト固定強度を得る事ができる。
従来の錠がデットボルト押し込みにあった時、ロッキングバーに力が掛かり、ロッキングバー軸に力が掛かってそれらを変形させる事を考えると、構造的にも大きい強度が得られる。
【００１１】
部品の組み合わせを図１に基づいて説明する。
シリンダー軸やサムターン軸を組み合わせる軸受け穴(６)を持つダルマ(５)に、デットボルト(２)を動かすデットカム(７)とロッキングブロック(１０)を動かすロッキングカム(８)を設ける。ロッキングブロックとロッキングカムは図では連結シャフト(９)を介して連結しているが直接連結しても良い。
【００１２】
部品の動きを図１に基づいて説明する。
合鍵やサムターンを施錠側に回すとダルマが回り、ダルマのデットカム(７)がデットボルト(２)を突き出すと同時に、ダルマのロッキングカム(８)がロッキングブロック(１０)をデットボルト後方に移動させる。
【００１３】
それだけではデットボルト後端にロッキングブロックが当たってしまい、ロッキングブロックをデットボルト後方に移動させる事ができない。
その為にデットボルトが完全に突き出した後でロッキングブロックがデットボルト後方に来るように、デットボルトのロッキングバー連結部分に遊びテーパー(４)を設ける。遊びテーパー部分がデットカムの回転遊び角度(１３)となる。
【００１４】
デットカム(７)がデットボルト(２)を完全に突き出した後も遊びテーパー(４)の分だけダルマ(５)が回り、遊びテーパー分のダルマの回転でロッキングブロック(１０)をデットボルト後方に移動させる。
【００１５】
それでもデットボルト後端とロッキングブロック角先が当たる時はデットボルト後端にテーパー角度(３)を設けるか、ロッキングブロック角先(１４)にテーパー角度を設ければ解決する。施錠状態を示すのが図１Ｂである。
【００１６】
解錠には、合鍵やサムターンを解錠側に回すとダルマが回り、まずダルマのデットカム(７)が回転遊び角度(１３)分空転し、その後デットボルトを引込める。同時にダルマの回転に遊び無くロッキングカム(８)が回り、デットカムの回転遊び角度(１３)によってデットボルトが引込み始める前に、ロッキングブロック(１０)をデットボルト後方から移動させ、図１Ａ状態である解錠状態となる。
【００１７】
本発明の錠機構ではダルマのロッキングカム(８)とロッキングブロック(１０)が連結バー(９)で連結しており、分離しない。
また、ダルマのデットカム(７)とデットボルト(２)はデットカムの回転遊び角度を持って連結しており、分離しない。
その為に各部品の作動が渋くなっても、バネの作動が渋くなっても、操作が重くなるだけで誤作動する事は無い。
【発明の効果】
【００１８】
施錠した錠のデットボルトがドロボーによってバールを使って押し込められた時に、本発明の機構を設けた錠では従来の錠と比べて強力に堪えることができる。
また長年の使用で雨水、ホコリ、塩分、油分の固形化、部品の変形等によって作動が渋くなっても確実に施解錠を行なう事ができる。
作動が渋くなっても錠が誤作動する事は無く、単に強い力で合鍵やサムターンを回せば施解錠する事ができる。
【発明を実施するための最良の形態】
【００１９】
本発明のデットボルト固定機構はデットボルトを持つ多くの種類の錠に対して使用する事ができる。
本発明のデットボルト固定機構を使った錠の施解錠操作と部品の動きを図１、図２に基づいて説明する。
【００２０】
施錠には、合鍵かサムターンを施錠方向に回すとダルマが回り、デットボルトを押し出すと共にロッキングブロックをデットボルト後方に向けて動かす。
デットボルトが完全に突き出た時点ではロッキングブロックはデットボルトと錠ケースハコの間に入っていない。  
【００２１】
その後合鍵やサムターンを続けて回す事で、ダルマは遊びテーパーによってデットカムの回転遊び角度分だけ回るが、デットボルトはそれ以上に突き出さない。
ロッキングブロックはダルマの回転に合わせて移動し、デットボルト後方と錠ケースハコの間に挟まれる位置で止まる。この状態が施錠状態で、デットボルトが押し込まれても強力に堪える状態である。
【００２２】
解錠には、合鍵かサムターンを解錠方向に回すとダルマが回り、ロッキングブロックをデットボルト後方と錠ケースハコの間から移動させる。
その間デットボルトはデットカムの回転遊び角度によって動かず、引込まない。
ロッキングブロックが移動した時点でデットカムの回転遊びが終わり、引続き合鍵やサムターンを回す事でデットボルトが引込む。
デットボルトの引込みに合わせてロッキングブロックはさらに移動する。
【図面の簡単な説明】
【００２３】
【図１】Ａ．発明の錠構造を示し、解錠状態を示す。        Ｂ．施錠状態を示す。
【図２】Ａ．従来の錠構造を示し、解錠状態を示す。        Ｂ．施錠状態を示す。
【符号の説明】
【００２４】
１    錠ケースハコ
２    デットボルト
３    テーパー角度
４    遊びテーパー
５    ダルマ
６    軸受け穴
７    デットカム
８    ロッキングカム
９    連結シャフト
１０    ロッキングブロック
１１    クリックバネ
１２    デットボルト後部
１３    デットカムの回転遊び角度
１４    ロッキングブロックの角先
２１    錠ケースハコ
２２    デットボルト
２３    ダルマ
２４    軸受け穴
２５    デットカム
２６    ロッキングピン
２７    ロッキングバー
２８    ロッキングピンバネ
２９    ロッキングバーバネ
３０    ロッキングバー軸
【図１】
2006028764.tif 000003
【図２】
2006028764.tif 000004